(57)【要約】【課題】幼少児であっても書籍を自主的に元の保管場所に戻すことができ、書籍の保管が容易になるカラーコード印刷体を提供する。【解決手段】カラーコード印刷体７０を装着した書籍６０は、保管棚８０の収納部８２Ａ〜８２Ｆに保管される。カラーコード印刷体７０は固有のカラーコード部７６を有しており、このカラーコード部７６は、書籍６０の保管場所である保管棚８０の収納部８２Ａ〜８２Ｆに関連付けられており、且つ視認識別が可能な彩色部７２Ａ，７２Ｂ，７２Ｃからなる。好ましくは、彩色部７２Ａ，７２Ｂ，７２Ｃが複数設けられる。【選択図】図４
2011144000.tif 000002
【特許請求の範囲】
【請求項１】
保管場所に関連付けられ、視認識別が可能な彩色部からなるカラーコード部を有しており、前記保管場所に保管される書籍に装着されることを特徴とするカラーコード印刷体。
【請求項２】
前記彩色部が複数設けられることを特徴とする請求項１記載のカラーコード印刷体。
【発明の詳細な説明】
【技術分野】
【０００１】
本発明は、保管棚に収容される絵本などの書籍や、その他保管場所に収容される物品の保管を容易にするカラーコード印刷体に関する。
【背景技術】
【０００２】
この種の書籍などの保管に関する技術として、例えば特許文献１には、誤った保管棚に保管されている書籍を容易に検出できるようにする書籍管理装置が提案されている。これは予め、書籍を保管する保管棚に、その保管棚固有の棚番号を格納した棚識別ラベルを取り付けると共に、各書籍に一つの書籍識別ラベルを取り付け、その書籍識別ラベルに書籍固有の書籍番号と、書籍が保管されるべき保管棚に対応する棚番号とを格納しておく。そして、スキャナによって棚識別ラベルからの棚番号を読み取り、それに引き続いて書籍識別ラベルからの書籍番号と棚番号を読み取って、双方の棚番号を比較することで、保管棚に誤って保管されている書籍を鳴動や点灯で認識させる、というものである。
【先行技術文献】
【特許文献】
【０００３】
【特許文献１】特開２０００−３３５７１２号公報
【発明の概要】
【発明が解決しようとする課題】
【０００４】
上記書籍管理装置では、特定の書籍がその保管棚に正しく保管されているか否かを確認するために、棚識別ラベルや書籍識別ラベルにスキャナを近づける必要がある。しかし、絵本のような児童向け書籍の場合、幼少児がそうした装置の目的を理解して、スキャナの読み取り操作を行なうことは極めて困難であり、保管棚から一度取り出した書籍を、元の棚位置に自主的に戻すことには自ずと限界があった。
【０００５】
本発明は上記問題点に着目してなされたもので、誰でも物品を自主的に元の保管場所に戻すことができ、物品の保管が容易になるカラーコード印刷体を提供することを目的とする。
【課題を解決するための手段】
【０００６】
本発明のカラーコード印刷体は、上記目的を達成するために、保管場所に関連付けられ、視認識別が可能な彩色部からなるカラーコード部を有しており、前記保管場所に保管される物品に装着されることを特徴とする。
【０００７】
また、本発明のカラーコード印刷体は、前記彩色部が複数設けられることを特徴とする。
【発明の効果】
【０００８】
請求項１の発明では、物品に装着されたカラーコード印刷体のカラーコード部を視認することで、そのカラーコード部の彩色から当該物品をどの保管場所に保管すべきかを、誰でも直感的に連想することができる。したがって、幼少児であっても保管場所から持ち出した物品を自主的に元の保管場所に戻すことができ、物品の保管を容易にすることが可能になる。
【０００９】
請求項２の発明では、彩色部を複数設けることで、保管場所が多数存在する場合でも対応することが可能になる。
【図面の簡単な説明】
【００１０】
【図１】本発明におけるカラーコード印刷体を出力する図書管理システムの全体構成を示す説明図である。
【図２】同上、図書管理システムの書籍管理機能に関する構成を示すブロック図である。
【図３】同上、カラーコード印刷体の一例を示す説明図である。
【図４】同上、使用状態を示す斜視図である。
【図５】同上、書籍情報を記憶登録する際の、ディスプレイの表示形態を示す説明図である。
【図６】同上、書籍検索時における表示形態を示す説明図である。
【図７】同上、別な変形例を示すカラーコード印刷体の平面図である。
【図８】同上、別な変形例を示すカラーコード印刷体の平面図である。
【図９】同上、別な変形例を示すカラーコード印刷体の平面図である。
【発明を実施するための形態】
【００１１】
以下、添付図面を参照して、本発明の好適な実施例について説明する。
【００１２】
図１は、後述するカラーコード印刷体の出力が可能な物品管理システムとしての図書管理システム１００の全体構成図である。当該図書管理システム１００は、センター装置に相当するＡＳＰサーバ１０と、このＡＳＰ（Application Service Provider）サーバ１０に対して、何れもインターネット網などの通信手段１２を介してアクセスが可能な携帯端末２０や、ＰＣ（パーソナルコンピュータ）３０，４０などを備えて構成される。この中で、携帯端末２０および／またはＰＣ３０は、主に幼稚園や保育園に通園する園児の保護者が保有する端末装置であり、また別なＰＣ４０は、幼稚園や保育園，あるいは図書館などの蔵書管理箇所に設置される端末装置であり、その形態や数については特に限定されない。
【００１３】
ＡＳＰサーバ１０は、アプリケーションプログラムを保有する記録媒体１４と、このアプリケーションプログラムを処理実行することにより、図書管理システム１００の動作を制御する制御部１６とを備えて構成される。さらにＡＳＰサーバ１０は、制御部１６が行なう動作に基づいて、前記園児に関する園児情報や、園からの連絡に関する連絡情報を随時更新記憶すると共に、各種の情報を前記携帯端末２０やＰＣ３０，４０から取り込んで蓄積格納する記憶部１８を備えている。記録媒体１４は、磁気ディスク，光ディスク，ＲＯＭ，ＲＡＭなどで構成され、記憶部１８を含めた構成としてもよい。
【００１４】
本実施例では、記憶媒体１２を保有するＡＳＰサーバ１０で園児情報や連絡情報を一元管理することで、ＰＣ４０が故障した場合でも、園児情報や連絡情報の消失を防ぐと共に、通信手段１２に接続可能な端末装置であれば、直ちに図書管理システム１００への利用ができる構成を有している。但し、小規模な図書管理システム１００であれば、ＡＳＰサーバ１０の機能をＰＣ４０に持たせても構わない。
【００１５】
次に、ＰＣ４０の構成について、さらに詳しく説明すると、当該ＰＣ４０は、演算処理部，記憶部，入出力部などを内蔵する本体４１と、操作部に相当するキーボード４２やマウス４４と、表示部としてのディスプレイ４６と、読取装置に相当するバーコードリーダ４８と、印刷装置に相当するプリンタ５０とを備えており、キーボード４２，マウス４４，ディスプレイ４６，バーコードリーダ４８，およびプリンタ５０は、何れも本体４１に有線または無線で接続される。この中で、キーボード４２，マウス４４およびバーコードリーダ４８は、絵本などの書籍６０に関する諸情報を書籍情報として入力するもので、ここでの書籍情報は、例えば書籍の著者名，書籍名（タイトル），おすすめ度，保管場所，表紙画像等を含んでいる。
【００１６】
図２は、ＡＳＰサーバ１０の特に書籍管理機能に関する構成を、ブロック図として示したものである。同図において、６２は前記制御部１６に備えた書籍管理制御部であり、これはＡＳＰサーバ１０に接続するＰＣ４０に対して、キーボード４２，マウス４４若しくはバーコードリーダ４８による書籍情報の入力を促す第１制御部６４と、ＰＣ４０で入力した書籍情報を記憶部１８に蓄積記憶させる第２制御部６６と、ＰＣ４０から取り込まれる書籍情報の中で、書籍６０の保管場所に対応した固有の色識別情報を生成し、必要に応じてこの色識別情報を当該ＰＣ４０に送信して、書籍６０の例えば綴じ側面に貼り付けが可能な彩色を施したカラーコード印刷体を、そのＰＣ４０のプリンタ５０から印刷出力させる第３制御部６８とにより構成される。
【００１７】
図３は、プリンタ５０から印刷出力したカラーコード印刷体７０の一例を示したものである。当該カラーコード印刷体７０は、ＰＣ４０から入力した書籍情報に含まれる書籍６０の保管場所に関連付けられ、一乃至複数の彩色部７２Ａ，７２Ｂ，７２Ｃと、数字部７４Ａ，７４Ｂ，７４Ｃからなるカラーコード部７６が、視認識別が可能な形状を有してその表面に設けられている。ここで、各々の彩色部７２Ａ，７２Ｂ，７２Ｃとして好ましい色は、光の三原色である赤，緑，青と、黒と、白の何れか一色で、乳幼児でも識別が可能な色とする。また、０〜９の数字の一つで表される数字部７４Ａ，７４Ｂ，７４Ｃは、彩色部７２Ａ，７２Ｂ，７２Ｃと同時に識別できるように、この彩色部７２Ａ，７２Ｂ，７２Ｃに重ね合わせて各々が設けられる。本実施例では、５色×３つの彩色部７２Ａ，７２Ｂ，７２Ｃで、１２５通りの色の組み合わせとすることができ、さらに数字部７４Ａ，７４Ｂ，７４Ｃを併用することで、１２５００種類の色と数字による識別を可能にできる。数字部７４Ａ，７４Ｂ，７４Ｃは、例えば英文字などを含めた記号部であってもよい。また、彩色部７２Ａ，７２Ｂ，７２Ｃだけでカラーコード部７６を構成しても構わない。
【００１８】
カラーコード印刷体７０はシール状で、その裏面には貼着部（図示せず）が設けられる。したがって、この貼着部により書籍６０の例えば背部にカラーコード印刷体７０を貼り付けることができる。また、カラーコード印刷体７０の表面には、前記カラーコード部７６の一側に前記書籍情報に関係するバーコード部７８が併設される。カラーコード部７６の視認識別から、その書籍６０の保管場所が特定できない場合には、ＰＣ４０のバーコードリーダ４８でバーコード部７８を読み取ることで、記憶部１８に記憶された書籍情報との照合により、書籍６０の保管場所をディスプレイ４６で表示したり、プリンタ５０で印刷したりすることもできる。
【００１９】
彩色部７２Ａ，７２Ｂ，７２Ｃは、乳幼児などの見やすさを考慮して、何れも同一形状で、書籍６０の保管場所に対応して、書籍６０の縦方向に並んで固有の色を有して形成される。また、書籍６０を本棚に収容した状態でも彩色部７２Ａ，７２Ｂ，７２Ｃを視認できるように、書籍６０の背面に位置して彩色部７２Ａ，７２Ｂ，７２Ｃが設けられる。
【００２０】
図４は、書籍６０の保管状況の一例を示す図である。８０は書籍６０の保管棚であり、これは表側を開口した複数の収納部８２Ａ〜８２Ｆが区画形成される。前記カラーコード部７６の彩色部７２Ａ，７２Ｂ，７２Ｃと数字部７４Ａ，７４Ｂ，７４Ｃは、保管棚８０の収納部８２Ａ〜８２Ｆ毎に、異なる色彩と数字の組み合わせでそれぞれ形成される。また、各収納部８２Ａ〜８２Ｆに対応して、その収納部８２Ａ〜８２Ｆを特定する識別ラベル８４Ａ〜８４Ｆが、保管棚８０の適所に取り付けられる。各識別ラベル８４Ａ〜８４Ｆの表面には、前記バーコード部７８と同じ色彩と数字を有する識別部が設けられている。
【００２１】
書籍６０を保管棚８０に戻そうとする場合、使用者はその書籍６０に取り付けられたカラーコード印刷体７０のカラーコード部７６を目視確認する。ここで、カラーコード部７６を構成する彩色部７２Ａ，７２Ｂ，７２Ｃが、それぞれ赤，白，赤の各色であったとすると、それらの色の組み合わせから、使用者はどの保管棚８０の収納部８２Ａ〜８２Ｆに保管棚６０を戻すべきかを、直感的に判断することできる。また、彩色部７２Ａ，７２Ｂ，７２Ｃによる色の組み合わせと保管場所が直ぐに結び付かない場合でも、各収納部８２Ａ〜８２Ｆの近傍には識別ラベル８４Ａ〜８４Ｆが取り付けられているので、わざわざバーコード部７８をバーコードリーダ４８で読み取らなくても、正しい保管場所に書籍６０を戻すことができる。これは特に、バーコードリーダ４８の操作を理解していない乳幼児たちにとって、散らかった書籍６０を無理なく所定の保管場所である保管棚８０の収納部８２Ａ〜８２Ｆに戻すことに、絶大な効果を発揮する。
【００２２】
またこれは乳幼児に限らず、カラーコード印刷体７０のカラーコード部７６を目視確認すれば、ＰＣ４０による端末操作を行なわなくても、彩色部７２Ａ，７２Ｂ，７２Ｃによる色の組み合わせと保管場所とを結び付けることができ、大人を含めた誰でも書籍６０を元の位置に戻すことが可能になる。
【００２３】
図３に示すカラーコード印刷体７０は、図２に示す書籍管理制御部６２を備えたＡＳＰサーバ１０にＰＣ４０を接続すれば、そのＰＣ４０のプリンタ５０を利用して簡単に印刷出力できる。以下、その手順を説明すると、先ずＰＣ４０からＡＳＰサーバ１０にアクセスして、第１の制御部６４による制御を選択すると、ＰＣ４０のディスプレイ４６に書籍情報の入力を促す画面が表示される。これを受けて、書籍６０に予め書籍名や著者名などを含んだ情報コード（図示せず）が付されている場合には、ＰＣ４０のバーコードリーダ４８でその情報コードを読み取り、さもなければキーボード４２やマウス４４の操作でその情報コードを入力する。また、書籍６０に情報コードが付されていない場合には、キーボード４２やマウス４４の操作で、書籍名や著者名などを直接入力する。
【００２４】
また、ＰＣ４０側では、書籍６０がどの場所（例えば、○○幼稚園の子育て支援室）にあって、どの保管棚８０のどの位置（保管棚８０の収納部８２Ａ〜８２Ｆ）に収納されるのかについて、それらの保管場所に関する情報をキーボード４２やマウス４４の操作で入力する。この保管場所に関する情報は、カラーコード印刷体７０を印刷出力する際に利用される。
【００２５】
こうしたＰＣ４０からの入力情報がＡＳＰサーバ１０に取り込まれると、第２制御部６６は外部データベース（図示せず）にアクセスして、入力情報に含まれる書籍名や著者名などから、その書籍６０に関する他の諸情報を取得し、これらの入力情報図書情報を含めた書籍情報を記憶部１８に記憶する。なお、外部データベースに書籍６０の画像に関する情報が含まれていない場合には、ＰＣ４０に備えた画像取込み部としてのスキャナ（図示せず）により、当該書籍６０の画像を取得して、これを第２制御部６６が取り込んでもよい。
【００２６】
また前記第２３の制御部６８は、書籍情報に含まれる前記書籍６０の保管場所に関する情報から、その保管場所に対応した固有の色識別情報を生成する。この色識別情報は、最終的に書籍６０に取り付けられるカラーコード印刷体７０の各彩色部７２Ａ，７２Ｂ，７２Ｃの色を決定するものとなる。ここでは、色識別情報の他に、各数字部７４Ａ，７４Ｂ，７４Ｃの数字を決定する数字識別情報を、書籍の保管場所に対応して生成してもよい。これらの色識別情報や数字識別情報は、書籍情報と関連付けられて記憶部１８に記憶される。
【００２７】
図５は、書籍情報を記憶登録する際の、ＰＣ４０のディスプレイ４６に表示される画面イメージである。１１０は前記情報コードの表示部、１１２は書籍名の表示部、１１４は著者名の表示部である。その他、ここでは書籍６０の出版社名を表示する表示部１１６と、書籍６０のおすすめ度を示す表示部１１８と、書籍６０の概要である商品の説明を表示する表示部１２０と、書籍６０の登録箇所を示す表示部１２２と、書籍６０の表紙画像に関する表示部１２４と、書籍６０の対象を示す表示部１２６と、書籍６０のジャンルを示す表示部１２８，１３０と、書籍６０の推薦者を示す表示部１３２と、書籍６０を保管する部屋を示す表示部１３４と、書籍６０の保管地点を示す本棚名を、前記色識別情報として表示する表示部１３６とを備えており、これらの表示部１１０〜１３４に表示される書籍情報や、表示部１３６に表示される色識別情報が、記憶部１８に蓄積格納される。
【００２８】
ここでは、表示部１１０に隣接して書籍情報取得ボタン１４０が設けられており、当該書籍情報取得ボタン１４０をキーボード４２やマウス４４で操作すると、表示部１１０に表示される情報コードや、さもなければ表示部１１２，１１４に表示される書籍名および著者名から、表示部１２０に表示される書籍６０の概要や、表示部１２４に表示される書籍６０の表紙画像などの諸情報が、外部データベースから取得される。１４２は、外部データベースに書籍６０の画像に関する情報が含まれていない場合に操作する画像読取ボタンで、この画像読取ボタン１４２を操作することで、スキャナを介して書籍６０の表紙画像が取得される。１４４は、図５に表示される書籍情報や色識別情報に関し、これを操作すると記憶部１８への記憶を指示する登録ボタンである。
【００２９】
第３制御部６８は、前記書籍情報や色識別情報が記憶部１８に記憶されると、その色識別情報をＰＣ４０に送信する。ＰＣ４０ではこれを受けて、色識別情報に応じた色の彩色部７２Ａ，７２Ｂ，７２Ｃを有するカラーコード部７６を、シート状のカラーコード印刷体７０に印刷出力するような制御信号をプリンタ５０に送出する。このとき、他の数字部７４Ａ，７４Ｂ，７４Ｃやバーコード部７８も、同時にプリンタ５０から印刷出力される。
【００３０】
図６は、保護者のＰＣ３０に表示される検索画面の一例を示したものである。ここでは、複数の検索ボタン１５０，１５２，１５４，１５６が配置され、検索ボタン１５０を操作することで、題名すなわち前記書籍名を検索対象として、記憶部１８に記憶された書籍情報の中から特定の書籍情報を検索し、その検索結果を画面で表示することができる。同様に、検索ボタン１５２を操作すると、種類すなわち前記ジャンルなどを検索対象とした検索が可能になり、検索ボタン１５４を操作すると、前記書籍６０の表紙画像を検索対象とした検索が可能になり、検索ボタン１５６を操作すると、前記おすすめ度を検索対象とした検索が可能になる。
【００３１】
なお、本実施例の図書管理システム１００において、記憶部１２８に記憶される書籍情報の中で、検索対象が何で、どのような検索の条件とするのかについては特に限定されない。また、保護者が保有する携帯端末２０を利用して、同様の検索を行なうことが可能である。
【００３２】
以上のように本実施例では、物品である書籍６０の保管場所である保管棚８０の収納部８２Ａ〜８２Ｆに関連付けられており、且つ視認識別が可能な彩色部７２Ａ，７２Ｂ，７２Ｃからなる固有のカラーコード部７６を有しており、保管棚８０の収納部８２Ａ〜８２Ｆに保管される書籍６０に装着するカラーコード印刷体７０を備えている。
【００３３】
このようにすると、書籍６０に装着されたカラーコード印刷体７０のカラーコード部７６を視認することで、そのカラーコード部７６の彩色から当該書籍６０をどの保管棚８０の収納部８２Ａ〜８２Ｆに保管すべきかを、誰でも直感的に連想することができる。したがって、幼少児を含めた誰であっても保管棚８０の収納部８２Ａ〜８２Ｆから持ち出した書籍６０を自主的に元の保管棚８０の収納部８２Ａ〜８２Ｆに戻すことができ、書籍６０の保管を容易にすることが可能になる。
【００３４】
また特に、カラーコード印刷体７０の彩色部７２Ａ，７２Ｂ，７２Ｃを単独ではなく複数設けることで、保管場所である保管棚８０の収納部８２Ａ〜８２Ｆが多数存在する場合でも対応することが可能になる。
【００３５】
次に、上記実施例に関連した別な変形例を、図７〜図９に基づき説明する。図７において、ここでのカラーコード印刷体７０は、上述した彩色部７２Ａ，７２Ｂ，７２Ｃと、前記数字部７４Ａ，７４Ｂ，７４Ｃに代わるひらがな文字部９０Ａ，９０Ｂ，９０Ｃとからなるカラーコード部７６が、視認識別が可能な形状を有してその表面に設けられている。また、ここでは前記バーコード部７８に代わり、情報をより多く格納できる二次元コード９２が設けられる。当該二次元コード９２には、書籍６０の保管場所に関する情報や書籍情報が含まれており、この二次元コード９２を携帯端末２０で読み取り、この携帯端末２０から、携帯端末２０の保有者（利用者）を特定する情報や、二次元コード９２に含まれる前記情報と共に、書籍６０の貸し出しを要求する旨の情報を、通信手段１２からＡＳＰコード１０に送信することで、ＡＳＰサーバ１０の制御部１６は、内蔵するタイムスタンプ機能を利用して、どの利用者が何時、どのような書籍６０を借りるのかを、記憶部１８にその都度蓄積格納することができる。したがって、このようなシステム構成を実現することで、ＡＳＰサーバ１０による書籍６０の貸し出し管理を一元化できる。
【００３６】
前記第１の彩色部７２Ａは、書籍６０の保管場所に関する情報において、複数の保管棚８０のうちどの保管棚８０であるのかを特定するもので、第２の彩色部７２Ｂは、その特定した保管棚８０において、複数の段のうちどの段にあるのかを特定するもので、第３の彩色部７２Ｃは、その特定した保管棚８０において、複数の列のうちどの列にあるのかを特定するものある。前記複数の保管棚８０の設置場所が複数存在する場合には、その複数の保管棚８０が、複数の設置場所のうちどの設置場所にあるのかを特定する彩色部を、さらに増やせばよい。
【００３７】
その他、図８〜図１０は図７に関連する変形例で、図８はひらがな文字部９０Ａ，９０Ｂ，９０Ｃに代わって英文字部９４Ａ，９４Ｂ，９４Ｃが用いられ、図９はカタカナ文字部９６Ａ，９６Ｂ，９６Ｃが用いられる。これらの各変形例において、どの字をどのような順番で用いるのかは特に限定しない。
【００３８】
なお本発明は、本実施例に限定されるものではなく、本発明の要旨の範囲内で種々の変形実施が可能である。上記実施例では、書籍６０の保管を目的としているが、例えば書籍６０以外では、製造ラインに設置される部品などの物品を対象としてもよい。
【符号の説明】
【００３９】
６０  書籍
７０  カラーコード印刷体
７２Ａ，７２Ｂ，７２Ｃ  彩色部
７６  カラーコード部
８０  保管棚（保管場所）
８２Ａ〜８２Ｆ  収納部（保管場所）
【図１】
2011144000.tif 000003
【図２】
2011144000.tif 000004
【図３】
2011144000.tif 000005
【図４】
2011144000.tif 000006
【図５】
2011144000.tif 000007
【図６】
2011144000.tif 000008
【図７】
2011144000.tif 000009
【図８】
2011144000.tif 000010
【図９】
2011144000.tif 000011